(57)【要約】【課題】火災感知器の動作試験を遠隔から一斉に行う。【解決手段】中央監視盤２０から無線中継器１を介して全ての火災感知器１０に試験開始命令を送信し、各火災感知器１０に動作試験を行わせることができる。従って、従来例のように個々の火災感知器１０の設置場所で１台ずつ試験を行う必要がなく、火災感知器１０の動作試験を遠隔から一斉に行うことができて試験に要する時間及び手間を大幅に減らすことができる。しかも、複数台の火災感知器１０と無線中継器１との間の無線通信を時分割多重アクセス（ＴＤＭＡ）方式で行うので、各火災感知器１０から送信される試験結果情報を含む無線信号の衝突を回避することができる。【選択図】        図１
2006343979.tif 000002
【特許請求の範囲】
【請求項１】
火災を感知して電波を媒体とする無線信号で火災感知情報を送信する複数台の火災感知器と、火災感知器から送信される無線信号を受信して得た火災感知情報を中継する１乃至複数台の無線中継器と、各無線中継器と信号線で接続され、該信号線を介して無線中継器から伝送される火災感知情報を取得して所定の火災報知処理を行う中央監視盤とを有し、
火災感知器は、火災に伴って発生する温度変化や煙を検出することで火災を感知する感知手段と、無線信号を送信する無線送信手段と、無線信号を受信する無線受信手段と、感知手段に対して擬似的に火災を感知させて試験を行う試験手段と、無線送信手段を制御して火災感知情報を無線信号により送信させるとともに試験開始命令を含む無線信号を無線受信手段で受信したときに試験手段に試験を行わせる制御手段とを備え、
無線中継器は、無線信号を送信する無線送信手段と、無線信号を受信する無線受信手段と、信号線を介して中央監視盤との間でデータを伝送するデータ伝送手段と、無線送信手段、無線受信手段、データ伝送手段を制御する制御手段とを備え、
中央監視盤は、信号線を介して無線中継器との間でデータを伝送するデータ伝送手段と、信号線を介して無線中継器から中継される火災感知情報を取得して所定の火災報知処理を行うとともに火災感知器に対して無線中継器を経由して試験開始命令を送信し、各火災感知器の試験結果情報を無線中継器を経由して取得する制御手段とを備え、
無線中継器並びに火災感知器の制御手段は、無線中継器から火災感知器への１つの下り方向のタイムスロットと、各火災感知器毎に割り当てられた火災感知器から無線中継器への複数の上り方向のタイムスロットとで構成されるフレームが一定数集まったスーパーフレームの中で火災感知情報や試験開始命令などの情報を授受する火災報知システムであって、
無線中継器の制御手段は、中央監視盤から伝送された試験開始命令を含む無線信号を無線送信手段から複数台の火災感知器に対して下り方向のタイムスロットで一斉に送信させ、
火災感知器の制御手段は、試験開始命令を受け取ったときに試験手段に試験を行わせ、自器に割り当てられた上り方向のタイムスロットで試験手段による試験結果情報を含む無線信号を無線送信手段から送信させることを特徴とする火災報知システム。
【請求項２】
中央監視盤は、制御手段が取得した複数の火災感知器の試験結果情報を一斉に表示する表示手段を備えたことを特徴とする請求項１記載の火災報知システム。
【請求項３】
火災感知器の感知手段は、温度を検出するとともに検出した温度が所定のしきい値を超えたときに火災を感知し、
試験手段は、感知手段のしきい値を規定温度よりも低い試験用しきい値に変更することを特徴とする請求項１又は２記載の火災報知システム。
【請求項４】
火災感知器の感知手段は、発光素子と、発光素子が発する光のうちで火災に伴う煙で散乱された散乱光を受光する受光素子とを有し、受光素子の受光光量が所定のしきい値を超えたときに火災を感知し、
試験手段は、試験用の発光素子を発光させることで擬似的に散乱光を増大させることを特徴とする請求項１又は２記載の火災報知システム。
【請求項５】
火災感知器に対して無線信号により試験開始命令を与えるリモートコントローラを有することを特徴とする請求項１〜４の何れかに記載の火災報知システム。
【請求項６】
リモートコントローラは、無線中継器の無線信号と異なる周波数の無線信号を送信することを特徴とする請求項５記載の火災報知システム。
【請求項７】
火災感知器の制御手段は、無線中継器から送信された無線信号とリモートコントローラから送信された無線信号とが衝突した場合に中央監視盤に対して前記無線信号の再送信要求を無線送信手段より無線信号で送信することを特徴とする請求項５記載の火災報知システム。
【発明の詳細な説明】
【技術分野】
【０００１】
本発明は、火災感知器から無線信号で送信される火災感知情報を無線中継器を経由して中央監視盤に伝送する火災報知システムに関するものである。
【背景技術】
【０００２】
従来より、火災感知器から無線信号で送信される火災感知情報を無線中継器を経由して中央監視盤に伝送する火災報知システムが提供されている（例えば、特許文献１参照）。かかる火災報知システムにおいては、火災感知器が正常に火災を感知するか否かの試験を定期的に行う必要がある。例えば、煙感知式の火災感知器に対して煙を吹き付けることで擬似的い火災を感知させる試験方法が採られている。
【特許文献１】特開平５-２１０７９０号公報
【発明の開示】
【発明が解決しようとする課題】
【０００３】
しかしながら、上記従来システムでは、煙を発生させる煙発生器等の試験装置を持って個々の火災感知器の設置場所で試験を行う必要があり、しかも、火災感知器が正常に動作したか否かの確認は遠方に設置された中央監視盤で行っているので、非常に多くの時間と手間がかかるという問題があった。
【０００４】
本発明は上記事情に鑑みて為されたものであり、その目的は、火災感知器の動作試験を遠隔から一斉に行うことができる火災報知システムを提供することにある。
【課題を解決するための手段】
【０００５】
請求項１の発明は、上記目的を達成するために、火災を感知して電波を媒体とする無線信号で火災感知情報を送信する複数台の火災感知器と、火災感知器から送信される無線信号を受信して得た火災感知情報を中継する１乃至複数台の無線中継器と、各無線中継器と信号線で接続され、該信号線を介して無線中継器から伝送される火災感知情報を取得して所定の火災報知処理を行う中央監視盤とを有し、火災感知器は、火災に伴って発生する温度変化や煙を検出することで火災を感知する感知手段と、無線信号を送信する無線送信手段と、無線信号を受信する無線受信手段と、感知手段に対して擬似的に火災を感知させて試験を行う試験手段と、無線送信手段を制御して火災感知情報を無線信号により送信させるとともに試験開始命令を含む無線信号を無線受信手段で受信したときに試験手段に試験を行わせる制御手段とを備え、無線中継器は、無線信号を送信する無線送信手段と、無線信号を受信する無線受信手段と、信号線を介して中央監視盤との間でデータを伝送するデータ伝送手段と、無線送信手段、無線受信手段、データ伝送手段を制御する制御手段とを備え、中央監視盤は、信号線を介して無線中継器との間でデータを伝送するデータ伝送手段と、信号線を介して無線中継器から中継される火災感知情報を取得して所定の火災報知処理を行うとともに火災感知器に対して無線中継器を経由して試験開始命令を送信し、各火災感知器の試験結果情報を無線中継器を経由して取得する制御手段とを備え、無線中継器並びに火災感知器の制御手段は、無線中継器から火災感知器への１つの下り方向のタイムスロットと、各火災感知器毎に割り当てられた火災感知器から無線中継器への複数の上り方向のタイムスロットとで構成されるフレームが一定数集まったスーパーフレームの中で火災感知情報や試験開始命令などの情報を授受する火災報知システムであって、無線中継器の制御手段は、中央監視盤から伝送された試験開始命令を含む無線信号を無線送信手段から複数台の火災感知器に対して下り方向のタイムスロットで一斉に送信させ、火災感知器の制御手段は、試験開始命令を受け取ったときに試験手段に試験を行わせ、自器に割り当てられた上り方向のタイムスロットで試験手段による試験結果情報を含む無線信号を無線送信手段から送信させることを特徴とする。
【０００６】
請求項２の発明は、請求項１の発明において、中央監視盤は、制御手段が取得した複数の火災感知器の試験結果情報を一斉に表示する表示手段を備えたことを特徴とする。
【０００７】
請求項３の発明は、請求項１又は２の発明において、火災感知器の感知手段は、温度を検出するとともに検出した温度が所定のしきい値を超えたときに火災を感知し、試験手段は、感知手段のしきい値を規定温度よりも低い試験用しきい値に変更することを特徴とする。
【０００８】
請求項４の発明は、請求項１又は２の発明において、火災感知器の感知手段は、発光素子と、発光素子が発する光のうちで火災に伴う煙で散乱された散乱光を受光する受光素子とを有し、受光素子の受光光量が所定のしきい値を超えたときに火災を感知し、試験手段は、試験用の発光素子を発光させることで擬似的に散乱光を増大させることを特徴とする。
【０００９】
請求項５の発明は、請求項１〜４の何れかの発明において、火災感知器に対して無線信号により試験開始命令を与えるリモートコントローラを有することを特徴とする。
【００１０】
請求項６の発明は、請求項５の発明において、リモートコントローラは、無線中継器の無線信号と異なる周波数の無線信号を送信することを特徴とする。
【００１１】
請求項７の発明は、請求項５の発明において、火災感知器の制御手段は、無線中継器から送信された無線信号とリモートコントローラから送信された無線信号とが衝突した場合に中央監視盤に対して前記無線信号の再送信要求を無線送信手段より無線信号で送信することを特徴とする。
【発明の効果】
【００１２】
請求項１の発明によれば、中央監視盤から無線中継器を介して各火災感知器に試験開始命令を送信すれば、火災感知器の試験手段が自動的に試験を行い、その試験結果が無線中継器を介して中央監視盤に返信されるので、従来例のように個々の火災感知器の設置場所で１台ずつ試験を行う必要がなく、火災感知器の動作試験を遠隔から一斉に行うことができて試験に要する時間及び手間を大幅に減らすことができる。しかも、複数台の火災感知器と無線中継器との間の無線通信を時分割多重アクセス（ＴＤＭＡ）方式で行うため、各火災感知器から送信される試験結果情報を含む無線信号の衝突を回避することができる。
【００１３】
請求項２の発明によれば、複数の火災感知器の試験結果を表示手段に一斉に表示することで試験結果が容易に判断できる。
【００１４】
請求項３の発明によれば、規定温度よりも低い試験用しきい値に変更することで感知手段に擬似的に火災を感知させることができる。
【００１５】
請求項４の発明によれば、試験用の発光素子を発光させることで散乱光が増大するため、感知手段に擬似的に火災を感知させることができる。
【００１６】
請求項５の発明によれば、例えば、新たに追加された火災感知器の試験を行う場合に設置現場で直ちに試験を開始することができる。
【００１７】
請求項６の発明によれば、無線中継器から送信される無線信号とリモートコントローラから送信される無線信号の衝突が防止できる。
【００１８】
請求項７の発明によれば、無線中継器から送信される無線信号とリモートコントローラから送信される無線信号が衝突したとしても、中央監視盤から送信された試験開始命令等については再送信により火災感知器で確実に受信することができる。
【発明を実施するための最良の形態】
【００１９】
以下、図面を参照して本発明の実施形態を詳細に説明する。
【００２０】
（実施形態１）
図２は本実施形態のシステム構成図であり、それぞれに複数台の火災感知器１０との間で無線通信を行う複数台の無線中継器１が信号線Ｌｓを介して中央監視盤２０に接続されることで火災報知システムが構成されている。すなわち、火災感知器１０から送信される火災感知情報が無線中継器１から信号線Ｌｓを介して中央監視盤２０に伝送され、中央監視盤２０の制御の下で警報音の鳴動や火災発生場所の報知、消防署への通報等の必要な対処が行われるものである。なお、以下では、複数台の火災感知器１０を個別に示す場合は火災感知器１０1，１０2，…，１０ｎと表記し、総括して示す場合は火災感知器１０と表記する。
【００２１】
火災感知器１０は、例えば施設の天井に設置されるものであって、図１（ａ）に示すように火災に伴って発生する煙を検出することで火災を感知する感知部１１と、電波を媒体とする無線信号を送受信するためのアンテナ１２と、後述するデータフォーマットを規定の周波数の搬送波に変調してアンテナ１２に出力する感知器送信部１３と、アンテナ１２で受信した無線信号からデータフォーマットを復調する感知器受信部１４と、感知器送信部１３並びに感知器受信部１４を制御して後述する火災感知情報や試験開始命令を無線信号により授受する感知器制御部１５とを備える。感知器制御部１５はマイコンとＥＥＰＲＯＭなどの不揮発性メモリを主構成要素とし、不揮発性メモリに格納されているプログラムを実行することで後述する各種の処理を実行するものである。なお、各火災感知器１０には固有のアドレスが製造時若しくは施工時に付与され、感知器制御部１５の不揮発性メモリに格納されている。
【００２２】
感知部１１は、図５に示すように円筒形であって外部から煙が流入可能な煙感知室１１ａと、光軸が煙感知室１１ａの中央に向けて配置された発光ダイオードのような発光素子１１ｂと、光軸が発光素子１１ｂの光軸と交差するように配置されたフォトダイオードのような受光素子１１ｃとを有し、発光素子１１ｂが発する光のうちで煙感知室１１ａ内に存在する煙（粒子）によって散乱する光を受光素子１１ｃで受光し、受光素子１１ｃの受光量を図示しない検出回路で所定のしきい値と比較するとともに受光量がしきい値を超えたとみなせるときに感知器制御部１５に対して火災感知信号を出力するものである。ここで、煙感知室１１ａには、受光素子１１ｃと対向する位置に発光ダイオードからなる試験用発光素子１６が設けられており、後述するように試験開始命令を受けた感知器制御部１５が試験用発光素子１６を発光させて受光素子１１ｃの受光量を増大させることにより感知部１１に擬似的に火災を感知させるようになっている。つまり、本実施形態では試験用発光素子１６と感知器制御部１５とで試験手段を構成している。
【００２３】
一方、無線中継器１は火災感知器１０との通信圏内に設置され、中央監視盤２０と信号線Ｌｓで接続されるものであって、図１（ｂ）に示すように無線信号を送受信するためのアンテナ２と、データフォーマットを規定の周波数の搬送波に変調してアンテナ２に出力する中継器送信部３と、アンテナ２で受信した無線信号からデータフォーマットを復調する中継器受信部４と、中継器送信部３並びに中継器受信部４を制御して火災感知情報や試験開始命令を無線信号により授受する中継器制御部５と、信号線Ｌｓと中継器制御部５とのインタフェースを行って中央監視盤２０との間で火災感知情報や試験開始命令などのデータを伝送するためのデータ伝送部６とを備える。中継器制御部５はマイコンとＥＥＰＲＯＭなどの不揮発性メモリを主構成要素とし、不揮発性メモリに格納されているプログラムを実行することで後述する各種の処理を実行するものである。なお、無線中継器１にも火災感知器１０と異なる固有のアドレスが製造時若しくは施工時に付与され、中継器制御部５の不揮発性メモリに格納されている。
【００２４】
中央監視盤２０は、施設の管理室等に設置されるものであって、図１（ｃ）に示すように種々のスイッチの操作状態を監視しスイッチが操作されたときに操作信号を出力する操作部２１と、信号線Ｌｓを介して無線中継器１との間でデータ伝送を行うデータ伝送部２２と、多数の発光素子がマトリクス状に配置された表示器２３ａを有し個々の発光素子を点滅させて火災感知器１０の動作状態等を表示する表示部２３と、操作部２１、データ伝送部２２、表示部２３を制御する監視盤制御部２４とを備える。監視盤制御部２４はマイコンとＥＥＰＲＯＭなどの不揮発性メモリを主構成要素とし、不揮発性メモリに格納されているプログラムを実行することで後述する各種の処理を実行するものである。
【００２５】
また中央監視盤２０は、図６に示すように扉１０１を備えた箱形のキャビネット１００内に収納され、扉１０１で隠される前面には、表示部２３の表示器２３ａと操作部２１が具備する試験開始スイッチ２１ａとが露出している。但し、扉１０１には窓孔１０１ａが設けられており、扉１０１を閉じた状態でも窓孔１０１ａを通して表示器２３ａの表示が視認できるようになっている。
【００２６】
無線中継器１と火災感知器１０との間で授受されるデータのデータフォーマットを図３に示す。このデータフォーマットは、１と０が交番する３２ビットのプリアンブル（ビット同期パターン）ＰＲと、規定のビット列からなる１６ビットのユニークワード（フレーム同期パターン）ＵＷと、１台の無線中継器１並びにその無線中継器１と無線通信する複数台の火災感知器１０からなるサブシステムに割り当てられる３２ビットの固有のＩＤ（システムＩＤ）ＳｙｓＩＤと、各火災感知器１０に割り当てられた８ビットの固有のＩＤ（感知器ＩＤ）ＮｏｄｅＩＤと、１６ビットのメッセージＭｓｇと、１６ビットの誤り検出符号ＣＲＣとで構成される。すなわち、火災感知器１０の固有アドレスはシステムＩＤ＋感知器ＩＤとなり、無線中継器１の固有アドレスはシステムＩＤとなる。
【００２７】
無線中継器１がサブシステム内の特定の火災感知器１０を指定してメッセージを送信する場合は、データフォーマットの感知器ＩＤに当該火災感知器１０の感知器ＩＤを指定し、サブシステム内の全ての火災感知器１０に対してメッセージを同報送信する場合は、データフォーマットの感知器ＩＤに「０」を指定して送信すればよい。また火災感知器１０が無線中継器１に対して返信する場合、自器の感知器ＩＤをデータフォーマットの感知器ＩＤに設定して送信すればよい。
【００２８】
一方、無線信号を受信した火災感知器１０並びに無線中継器１では、感知器受信部１４および中継器受信部４において受信信号を増幅し且つデータフォーマットを復調して感知器制御部１５および中継器制御部５に出力する。感知器制御部１５および中継器制御部５では、感知器受信部１４および中継器受信部４で復調されたデータをマイコンが具備するデジタルの入力ポートでサンプリングし、プリアンブルＰＲの受信中にビットタイミングを抽出して、次に連続する１６ビット分の受信ビットを規定のユニークワードと一致するまで１ビットずつシフトすることでユニークワードを検出する。さらに感知器受信部１４および中継器受信部４は、受信したシステムＩＤと感知器ＩＤを不揮発性メモリに格納されている固有アドレスと照合し、これらが一致し且つビット誤りが検出されなかった場合にメッセージＭｓｇを受理する。
【００２９】
また中央監視盤２０と無線中継器１との間では、無線中継器１に割り当てられた固有アドレス（システムＩＤ）を指定して火災感知情報や試験開始命令などを含む伝送信号を信号線Ｌｓを介して授受している。
【００３０】
ところで本実施形態においては、無線中継器１と複数の火災感知器１０との間の無線通信を時分割多重アクセス（ＴＤＭＡ）方式で行っている。すなわち、図４に示すように１つの下り方向（無線中継器１→火災感知器１０）のタイムスロットＢと、複数（図示例では９９）の上り方向（火災感知器１０→無線中継器１）のタイムスロットＤ１〜Ｄ９９とからなる複数（図示例では３０）のフレームＦ１〜Ｆ３０を集めてスーパーフレームＳＦを構成し、各フレームＦ１〜Ｆ３０における上り方向のタイムスロットＤ１〜Ｄ９９を各火災感知器１０に個別に割り当てることによって、火災感知器１０から送信される無線信号同士の衝突を確実に回避することができる。例えば、図示例では下り方向及び上り方向のタイムスロットＢ，Ｄｉ（ｉ＝１〜９９）は周期が１００ミリ秒であり、その内訳は上記データフォーマットに５０ミリ秒、無線中継器１の中継器送信手段３並びに火災感知器１０の感知器送信手段１２が起動し安定した搬送波周波数で送信可能となるまでの時間（起動時間）に２０ミリ秒、ガードタイムに前後各々１５ミリ秒ずつが割り当てられている。なお、ガードタイムは火災感知器１０と無線中継器１の動作クロック周波数（感知器制御手段１４並びに中継器制御手段５を構成するマイコンの動作クロック周波数）の誤差に起因するタイミングの差を吸収するための空き時間である。また、各火災感知器１０に対する上り方向のタイムスロットＤ１〜Ｄ９９の割り当ては、例えば、火災感知器１０に設けたディップスイッチによって設定したり、製造工程において感知器制御手段１４の不揮発性メモリに予め格納しておいたり、あるいは、設置時に無線通信を用いて無線中継器１から順番に各火災感知器１０に割り当てて感知器制御部１５の不揮発性メモリに格納するなどの方法で行えばよい。
【００３１】
次に、本実施形態の動作を説明する。最初に、何れかの火災感知器１０で火災を感知した場合の動作を説明する。
【００３２】
火災感知器１０の感知器制御部１５は、感知部１１から火災感知信号を受け取ると、その時点のフレームＦｋにおいて自器に割り当てられた上り方向タイムスロットＤｉ（あるいは、自器に割り当てられた上り方向タイムスロットＤｉが既に経過していたら次のフレームＦｋ＋１における上り方向タイムスロットＤｉ）により火災感知情報をメッセージＭｓｇとする無線信号を感知器送信部１３から無線中継器１へ送信させる。
【００３３】
火災感知器１０から無線信号を受信した無線中継器１の中継器制御部５は、無線信号のメッセージＭｓｇから火災感知情報を取得し、火災を感知した火災感知器１０の固有アドレス（システムＩＤ＋感知器ＩＤ）と当該火災感知情報を含む伝送信号をデータ伝送部６から信号線Ｌｓを介して中央監視盤２０に伝送させる。
【００３４】
中央監視盤２０では、データ伝送部２２で受信した伝送信号から監視盤制御部２４が火災感知情報並びに火災感知器１０の固有アドレスを取得し、表示部２３の表示器２３ａに火災の発生と発生箇所（火災を感知した火災感知器１０の設置場所）を表示させる。
【００３５】
次に、中央監視盤２０から各火災感知器１０の動作試験を行う場合の動作を説明する。
【００３６】
中央監視盤２０で試験開始スイッチ２１ａが操作されると、操作部２１から監視盤制御部２４に対して操作信号が出力され、この操作信号に基づいて監視盤制御部２４は全ての火災感知器１０に動作試験を行わせるための試験開始命令を伝送する。試験開始命令は、伝送信号によってデータ伝送部２２から信号線Ｌｓを介して各無線中継器１に伝送される。無線中継器１の中継器制御部５は、データ伝送部６で受信した伝送信号から試験開始命令を取得すると、フレームＦｋの下り方向タイムスロットＢにおいて、データフォーマットの感知器ＩＤを「０」に設定し、試験開始命令をメッセージＭｓｇとした無線信号をサブシステムを構成する全ての火災感知器１０に向けて同報送信する。
【００３７】
火災感知器１０の感知器制御部１５は、下り方向タイムスロットＢで無線中継器１から送信された無線信号を感知器受信部１４で受信して試験開始命令を取得すると、試験用発光素子１６を発光させて受光素子１１ｃの受光量を増大させる。そして、感知部１１が正常であれば感知器制御部１５に火災感知信号が出力され、感知部１１が正常でなければ火災感知信号は出力されないから、感知器制御部１５では、感知部１１から火災感知信号が出力されたか否かの情報（試験結果情報）をメッセージＭｓｇとする無線信号を、試験開始命令を受け取ったフレームＦｋの次のフレームＦｋ＋１において自器に割り当てられている上り方向タイムスロットＤｉで感知器送信部１３から無線中継器１に対して送信させる。
【００３８】
火災感知器１０から無線信号を受信した無線中継器１の中継器制御部５は、無線信号のメッセージＭｓｇから試験結果情報を取得し、当該火災感知器１０の固有アドレスと試験結果情報を含む伝送信号をデータ伝送部６から信号線Ｌｓを介して中央監視盤２０に伝送させる。
【００３９】
中央監視盤２０では、データ伝送部２２で受信した伝送信号から監視盤制御部２４が火災感知器１０の固有アドレス並びに試験結果情報を取得し、表示部２３の表示器２３ａに火災感知器１０の固有アドレス（又は設置場所）と試験結果情報を表示させる。ここで、表示器２３ａには予め感知器ＩＤと一対一に対応する複数の表示領域が設けられており、複数台の火災感知器１０における試験結果情報が一斉に表示できるようになっている。
【００４０】
上述のように本実施形態では、中央監視盤２０で試験開始スイッチ２１ａを操作すると全ての火災感知器１０に動作試験を行わせることができ、しかも、各火災感知器１０の試験結果情報が中央監視盤２０の表示部２３で一斉に表示されるので、従来例のように個々の火災感知器１０の設置場所で１台ずつ試験を行う必要がなく、火災感知器１０の動作試験を遠隔から一斉に行うことができて試験に要する時間及び手間を大幅に減らすことができる。しかも、複数台の火災感知器１０と無線中継器１との間の無線通信を時分割多重アクセス（ＴＤＭＡ）方式で行うので、各火災感知器１０から送信される試験結果情報を含む無線信号の衝突を回避することができる。
【００４１】
なお、火災感知器１０の感知部１１は、上述の光電式以外に、火災に伴う温度上昇を検出することで火災を感知する熱式のものがある。熱式の感知部１１は、サーミスタのような感温素子で雰囲気温度を検出し、検出温度が規定温度（例えば、常温）よりも十分に高い温度に設定されたしきい値を超えたときに火災感知信号を出力するものである。この場合、試験手段たる感知器制御部１５が感知部１１におけるしきい値を規定温度よりも低い試験用しきい値に変更することで動作試験を行うことができる。あるいは、感温素子の検出出力を増幅することで強制的にしきい値を超えさせるようにしても構わない。
【００４２】
（実施形態２）
本実施形態の火災報知システムは、図７に示すように火災感知器１０に対して無線信号により試験開始命令を与えるリモートコントローラ３０を備えた点に特徴があり、基本的な構成並びに動作は実施形態１と共通である。従って、実施形態１と共通する構成要素には同一の符号を付して説明を省略する。
【００４３】
リモートコントローラ３０は、図８（ｂ）に示すように電波を媒体とする無線信号を送信するためのアンテナ３１と、データを規定の周波数の搬送波に変調してアンテナ３１に出力する無線送信部３２と、図示しないテンキースイッチ等の操作状態を監視し操作されたスイッチに対応した操作信号を出力する操作部３３と、リモートコントローラ３０全体の制御を行うリモコン制御部３４とを備える。リモコン制御部３３はマイコンとＥＥＰＲＯＭなどの不揮発性メモリを主構成要素とし、不揮発性メモリに格納されているプログラムを実行することで後述する処理を実行するものである。
【００４４】
一方、本実施形態における火災感知器１０は、図８（ａ）に示すようにリモートコントローラから送信される無線信号を受信するためのアンテナ１７と、アンテナ１７で受信した受信信号からデータを復調する無線受信部１８とが追加されている点が実施形態１と異なるが、その他の構成については実施形態１と共通である。なお、中央監視盤２０並びに無線中継器１の構成についても実施形態１と共通であるから、図示並びに説明は省略する。
【００４５】
次に、リモートコントローラ３０を用いて火災感知器１０の動作試験を行う場合の動作を説明する。
【００４６】
リモートコントローラ３０において、操作部３３が有するテンキースイッチで試験を行う１乃至複数台の火災感知器１０の感知器ＩＤが入力された後、同じく操作部３３が有する試験開始スイッチが操作されると、操作部３３からリモコン制御部３３に対して操作信号が出力され、この操作信号に基づき、選択された感知器ＩＤと試験開始命令とを含むデータをリモコン制御部３３が作成して無線送信部３２に出力し、無線送信部３２が当該データを変調して無線信号でアンテナ３１から送信する。
【００４７】
選択された感知器ＩＤを有する火災感知器１０では、リモートコントローラ３０から送信された無線信号をアンテナ１７を介して無線受信部１８で受信し、無線受信部１８から試験開始命令を取得した感知器制御部１５が試験用発光素子１６を発光させて受光素子１１ｃの受光量を増大させる。そして、感知器制御部１５は、感知部１１から火災感知信号が出力されたか否かの試験結果情報をメッセージＭｓｇとする無線信号を、フレームＦｋにおいて自器に割り当てられている上り方向タイムスロットＤｉで感知器送信部１３から無線中継器１に対して送信させる。なお、無線中継器１並びに中央監視盤２０の動作は実施形態１と共通であるから説明は省略する。
【００４８】
上述のように本実施形態では、中央監視盤２０だけでなくリモートコントローラ３０を使って火災感知器１０の動作試験が行えるので、例えば、新たに追加された火災感知器１０の動作試験を行う場合に設置現場で直ちに試験を開始することができるなどの利点がある。
【００４９】
ところで、火災感知器１０が無線中継器１との通信に用いる無線信号の周波数（搬送波周波数）とリモートコントローラ３０との通信に用いる無線信号の周波数（搬送波周波数）とが同一である場合、無線中継器１から送信される無線信号とリモートコントローラ３０から送信される無線信号が衝突して火災感知器１０で受信できないという状況が起こり得る。かかる衝突を防止するには、例えば、火災感知器１０が無線中継器１との通信に用いる無線信号の周波数とリモートコントローラ３０との通信に用いる無線信号の周波数とを異なる周波数とすればよい。また、火災感知器１０が無線中継器１との通信に用いる無線信号の周波数とリモートコントローラ３０との通信に用いる無線信号の周波数とが同一である場合においても、火災感知器１０の感知器制御部１５で無線信号の衝突を検出したときに無線信号の再送信を要求するメッセージを無線中継器１に対して無線信号で送信し、中央監視盤２０の監視盤制御部２４から再度同一内容のデータ（例えば、試験開始命令）を無線中継器１を介して火災感知器１０に送信させても構わない。
【図面の簡単な説明】
【００５０】
【図１】（ａ）は本実施形態１における火災感知器、（ｂ）は無線中継器、（ｃ）は中央監視盤のブロック図である。
【図２】同上のシステム構成図である。
【図３】同上におけるデータフォーマットの説明図である。
【図４】同上におけるスーパーフレームの構成図である。
【図５】同上における火災感知器の感知部の構造を示す断面図である。
【図６】同上における中央監視盤の扉を開けた状態の斜視図である。
【図７】実施形態２のシステム構成図である。
【図８】（ａ）は同上における火災感知器、（ｂ）はリモートコントローラのブロック図である。
【符号の説明】
【００５１】
１  無線中継器
３  中継器送信部
４  中継器受信部
５  中継器制御部
６  データ伝送部
１０  火災感知器
１１  感知部
１３  感知器送信部
１４  感知器受信部
１５  感知器制御部
２０  中央監視盤
２２  データ伝送部
２４  監視盤制御部
【図１】
2006343979.tif 000003
【図２】
2006343979.tif 000004
【図３】
2006343979.tif 000005
【図４】
2006343979.tif 000006
【図５】
2006343979.tif 000007
【図６】
2006343979.tif 000008
【図７】
2006343979.tif 000009
【図８】
2006343979.tif 000010